(57)【要約】【課題】フック部と相手側の起立片と間の隙間を無くするかまたは狭くしても、配線部材を容易に外すことが可能な配線部材の係止構造を有する遊技機を提供すること。【解決手段】電気部品を電気的に接続する配線部材３００の配線３０２を途中で止めるため、起立片２０２を相手側部材２０１に対向させて立設し、その頂部付近から相手側部材の対向面の基部２０１ｂ方向に向うフック部２０３を設けて配線押さえ部とした係止構造２００を備える遊技機において、前記係止構造のフック部２０３には、フック部の一側辺２０３ｂから先端辺２０３ａにかけて斜めに傾斜案内部２０６を形成する。【選択図】図１８
2011030739.tif 000002
【特許請求の範囲】
【請求項１】
電気部品を電気的に接続する配線部材の配線を途中で止めるため、起立片を相手側部材に対向させて立設し、その頂部付近から相手側部材の対向面の基部方向に向うフック部を設けて配線押さえ部とした係止構造を備える遊技機において、前記係止構造のフック部には、フック部の一側辺から先端辺にかけて斜めに傾斜案内部を形成した、ことを特徴とする遊技機。
【請求項２】
内部に制御基板を収納した基板ケースを有し、
前記係止構造が前記基板ケースの上壁を形成する膨出壁の近傍において前記基板ケースに設けられている、ことを特徴とする請求項１に記載の遊技機。
【請求項３】
前記基板ケースは、前記制御基板の被接続部が露出する開口部を有しており、
前記配線部材は、前記開口部から露出する前記被接続部に接続可能な接続部と、該接続部から延出する配線とを備え、
前記係止構造は、前記開口部に近い箇所で前記基板ケースに設けられ、前記被接続部に接続された前記接続部から延出する配線を一旦屈曲させて前記フック部で抑え込むように配置されており、
前記フック部は前記傾斜案内部の存在する一側辺が前記被接続部に近い側に位置している、ことを特徴とする請求項２に記載の遊技機。
【請求項４】
前記基板ケース内には、前記起立片を設けるため開口が形成された領域と前記制御基板の存在する領域との間に、前記開口から挿入される可能性のある不正部材が前記制御基板側に進入するのを阻止する壁を設けた、ことを特徴とする請求項２または３に記載の遊技機。
【発明の詳細な説明】
【技術分野】
【０００１】
本発明は、パチンコ遊技機などの遊技機、特にその電気部品を電気的に接続する配線部材（ハーネスと称される）を配線途中で止めるための係止構造を備えた遊技機に関する。
【背景技術】
【０００２】
従来、パチンコ遊技機などの遊技機では、その各種電気部品をハーネスと称される配線部材を用いて電気的に接続すると共に、その配線途中を係止構造にて基板ケースなどの所定部位に取り外し可能に止めている。
【０００３】
たとえば、基板ケースの側壁の隣りに脱落抑制部を立設し、脱落抑制部の頂部を越えてケース外方向に突き出しかつその先端部を下方に垂下させたフック部を引き出し規制部として有する構造とし、これら側壁、引き出し規制部、および脱落抑制部の三者で配線部材収納空間を形成した係止構造が知られている（下記特許文献１参照）。
【０００４】
また弾性特性を有する二つの起立片を並設し、その一方は頂部から相手側起立片の内側壁下方に向う折り返しによるフック部を配線押さえ部として有する係止構造も知られている（下記特許文献２参照）。
【先行技術文献】
【特許文献】
【０００５】
【特許文献１】特開２００７−１１７５１４号公報
【特許文献２】特開平１１−２４４４９２号公報
【発明の概要】
【発明が解決しようとする課題】
【０００６】
しかしながら、配線部材を止める係止構造は、フック部を設けて配線部材の外れ防止機能が十分に発揮される構造にすればするほど、挿入後の配線部材を外すことが困難になる。
【０００７】
たとえば、特許文献２のように、フック部と相手側の起立片と間の隙間を無くするかまたは狭くして配線部材が外れ難い係止構造にすると、製造時およびトラブル対応時に基板ケースごとの交換を行う場合や、リサイクルさせる場合などにおいて、基板ケースの係止構造から配線部材を外す際にフック部からハーネスが外れ難くなってしまう。また逆に配線部材を外し易くするためにフック部と相手側の起立片と間の隙間を広くすると、振動などでフック部から配線部材が外れ易くなってしまう、という課題がある。
【０００８】
そこで、本発明の目的は、上記課題を解決し、フック部と相手側部材と間の隙間を無くするかまたは狭くしても、配線部材を外すことが容易である配線部材の係止構造を有する遊技機を提供することにある。
【課題を解決するための手段】
【０００９】
本発明の上記目的は、下記の手段によって達成される。
【００１０】
（１）電気部品を電気的に接続する配線部材（３００）の配線（３０２）を途中で止めるため、起立片（２０２）を相手側部材（２０１）に対向させて立設し、その頂部付近から相手側部材の対向面の基部（２０１ｂ）方向に向うフック部（２０３）を設けて配線押さえ部とした係止構造（２００）を備える遊技機において、前記係止構造のフック部（２０３）には、フック部の一側辺（２０３ｂ）から先端辺（２０３ａ）にかけて斜めに傾斜案内部（２０６）を形成した、ことを特徴とする遊技機。
【００１１】
（２）内部に制御基板（２７）を収納した基板ケース（２６）を有し、前記係止構造が前記基板ケースの上壁（６１）を形成する膨出壁（６１ａ）の近傍において前記基板ケースに設けられている、ことを特徴とする上記（１）に記載の遊技機。
【００１２】
（３）前記基板ケースは、前記制御基板の被接続部（５７）が露出する開口部（７１）を有しており、
前記配線部材は、前記開口部から露出する前記被接続部に接続可能な接続部（３０１）と、該接続部から延出する配線（３０２）とを備え、
前記係止構造は、前記開口部に近い箇所で前記基板ケースに設けられ、前記被接続部に接続された前記接続部から延出する配線を一旦屈曲させて前記フック部で抑え込むように配置されており、
前記フック部は前記傾斜案内部の存在する一側辺が前記被接続部に近い側に位置している、ことを特徴とする上記（２）に記載の遊技機。
【００１３】
（４）前記基板ケース内には、前記起立片を設けるため開口（２０９）が形成された領域と前記制御基板の存在する領域（２６ｂ）との間に、前記開口から挿入される可能性のある不正部材が前記制御基板側に進入するのを阻止する壁（５７）を設けた、ことを特徴とする上記（２）または（３）に記載の遊技機。
【発明の効果】
【００１４】
本発明の係止構造では、傾斜案内部が斜辺を形成する三角形凹所に配線部材の配線のうちの全部または多数本が一度に案内されて入り、そこから傾斜面に沿って起立片の幅方向一端側に案内され、次いでフック部先端辺と相手側部材との間の隙間が走る方向に沿って配線が案内される。すなわち、配線部材の配線を三角形凹所から隙間の入口端に入れ、配線部材を隙間の走る方向に力を加えて引っ張ることにより、容易に配線を隙間の出口端まで通すことができる。このためフック部と相手側部材と間の隙間を無くするかまたは狭くしても、簡単にフック部から配線を外すことができる。
【図面の簡単な説明】
【００１５】
【図１】本発明の一実施形態に係る遊技機の外観を示す正面側の斜視図である。
【図２】遊技機の裏面側を示す斜視図である。
【図３】遊技盤の正面側を示す図である。
【図４】主制御基板ケースを斜め上方から見た斜視図である。
【図５】主制御基板ケースの分解斜視図である。
【図６】主制御基板ケースを構成する第２のケース体の内面図である。
【図７】主制御基板ケースを構成する第２のケース体の背面図である。
【図８】第２のケース体において連結部材およびシールカバー部材を取り付けた後の状態を示した背面図である。
【図９】第１のケース体に第２のケース体を差し込む状態を示した図である。
【図１０】第１のケース体に第２のケース体を差し込んだ後の状態を示した図である。
【図１１】主制御基板ケースの封止手段の部分を示した断面図である。
【図１２】図１１の封止手段における封止部材が被結合部に係合した状態を示した断面図である。
【図１３】図１１の封止手段における封止部材が被結合部に係合した状態を、ケースの長手方向に沿った断面で示した図である。
【図１４】主制御基板ケースを斜め下方から見た斜視図である。
【図１５】主制御基板ケースのシールカバー部材の止め方を示した図である。
【図１６】シールカバー部材と取り付けた第１のケース体の正面側の一部を示した図である。
【図１７】主制御基板ケースを斜め下方から見た斜視図の一部を示した図である。
【図１８】主制御基板ケースのコネクタに接続した配線部材とその配線の係止構造とを示した図である。
【図１９】配線部材の配線を止める係止構造左側面図である。
【図２０】本発明の係止構造のフック部から配線部材の配線を外す手順を示した図である。
【図２１】比較例の係止構造における傾斜案内部の存在しないフック部から配線部材の配線を外す手順を示した図である。
【発明を実施するための形態】
【００１６】
以下、図面を参照しながら、本発明に係る遊技機の実施形態を、パチンコ遊技機を例にして説明する。
【００１７】
図１は、本発明の実施形態に係るパチンコ遊技機の外観を示す正面側の斜視図である。
【００１８】
図示のパチンコ遊技機１は、木製の外枠４の前面に額縁状の前面枠２を開閉可能に取り付け、前面枠２の裏面に取り付けた遊技盤収納フレーム（図示せず）内に遊技盤３を装着し、この遊技盤３の表面に形成した遊技領域３ａを前面枠２の開口部に臨ませた構成を有する。上記遊技領域３ａは、遊技盤３の面上に配設した球誘導レール５（図３参照）で囲まれた領域からなる。この遊技領域３ａの前側に、透明ガラスを支持したガラス扉枠６が設けられている。
【００１９】
またパチンコ遊技機１は、ガラス扉枠６の下側に配設された前面操作パネル７を有している。前面操作パネル７には上受け皿ユニット８が設けられ、この上受け皿ユニット８には、排出された遊技球を貯留する上受け皿９が形成されている。前面操作パネル７には、球貸しボタン１１およびプリペイドカード排出ボタン１２（カード返却ボタン１２）が設けられている。また、上受け皿９の上皿表面部分には、内蔵ランプが点灯されて操作可能となり、その内蔵ランプ点灯時に押下することにより演出効果を変化させることができる押しボタン式の枠演出ボタン１３が設けられている。この上受け皿９には、上受け皿９に貯留された遊技球をパチンコ遊技機１の下方に抜くための球抜きボタン１４が設けられている。
【００２０】
また、前面操作パネル７の右端部側には、発射ユニットを作動させるための発射操作ハンドル１５が設けられている。また、前面枠２の上部の両側、発射操作ハンドル１５の上側には、効果音を発生するスピーカ４６が設けられている。またさらに、ガラス扉枠６の各所には、光の装飾により演出効果を現出する装飾ランプ４５が設けられている。
【００２１】
図２に示すように、パチンコ遊技機１の背面には、遊技盤収納フレームを覆って遊技盤３を裏側から押さえる枠体状の裏機構盤１６が取り付けられ、これにより遊技盤３と前面枠２とが一体化されている。この裏機構盤１６の上部の一側寄りには、パチンコホール側島設備の遊技球補給装置（図示せず）から供給される遊技球を貯留する遊技球貯留タンク１７が設けられている。また、遊技球貯留タンク１７から球を導出するタンクレール１８の傾斜下端に接続して、遊技球を払い出すための遊技球払出装置１９を設けてある。さらに、裏機構盤１６の上部の他側隅部には、パチンコホール全体の遊技機を統括的に管理する管理用コンピュータ（図示せず）に電気的に接続するための外部端子基板２１が端子基板ケース２２に収めて設けられている。
【００２２】
また、裏機構板の略中央には、遊技盤３の裏側に装着された透明の裏カバー２３が嵌合しており、この裏カバー２３内に、演出制御基板２４を収納した透明の演出制御基板ケース２４ａと、液晶制御基板２５を収納した透明の液晶制御基板ケース２５ａとが設けられている。演出制御基板ケース２４ａの下方には、内部に主制御基板２７を収納した透明な主制御基板ケース２６が設けられている。
【００２３】
さらに主制御基板ケース２６の下方には、払出制御基板２９を収めた透明な払出制御基板ケース２８が設けてあると共に、電源基板３１を収めた透明な電源基板ケース３０が配設されている。さらにまた、発射操作ハンドル１５に対応する位置には、遊技球を打撃する打撃槌やこれを駆動する発射モータを備えた遊技球発射装置（図示せず）の後側に発射制御基板３３が設けられている。
【００２４】
次に、遊技盤３の遊技領域３ａについて説明する。図３に示すように、遊技盤３の略中央部には、３つ（左、中、右）の表示エリアにおいて、独立して数字やキャラクタや記号などによる図柄（装飾図柄）の変動表示が可能である画像表示装置としての液晶表示装置３６（ＬＣＤ：Ｌｉｑｕｉｄ  Ｃｒｙｓｔａｌ  Ｄｉｓｐｌａｙ）が配設されている。この液晶表示装置３６の真下には、第１の特別図柄始動口である上始動口３４と、第２の特別図柄始動口である下始動口３５とが上下に配設され、それぞれの内部には、入賞球を検出する特別図柄始動口センサが設けられている。下始動口３５には、左右一対の可動翼片４７が下始動口３５を開閉可能に設けられ、いわゆるチューリップ型の電動役物（普通変動入賞装置４１）を構成している。
【００２５】
上始動口３４より上左側には、ゲートからなる普通図柄始動口３７が配設されており、通過する遊技球を検出する普通図柄始動口センサが配設されている。
【００２６】
上記下始動口３５の下方には、大入賞口４０を開閉する開放扉４２ｂで開閉可能に構成した特別変動入賞装置４２が配設され、その内部には、入賞球を検出する大入賞口センサが配設されている。
【００２７】
特別変動入賞装置４２の両側に一般入賞口４３が計４つ配設されており、それぞれ内部には、遊技球の通過を検出する一般入賞口センサが形成されている。各入賞口に入賞しなかった遊技球は、アウト口４９を介して遊技領域３ａから排出される。
【００２８】
また、遊技領域３ａの右上縁付近には、７セグを３桁に並べて構成される特別図柄表示装置３８と、２個のＬＥＤからなる普通図柄表示装置３９が設けられている。さらに、遊技領域３ａには、センター飾り４８、遊技球の落下方向変換部材としての風車４４や複数の遊技釘（図示せず）、複数の発光装置（ランプ、ＬＥＤ等：図示せず）などが配設されている。さらに遊技盤３の両側端部近傍にも、装飾ランプ４５などのランプ表示装置やＬＥＤ装置が配設されている。
【００２９】
遊技球が上始動口３４または下始動口３５に入賞したことに基づき、主制御基板２７において乱数抽選による大当りに関する抽選（大当り抽選）が行なわれる。この抽選結果に応じて特別図柄を特別図柄表示装置３８に変動表示させて、特別図柄変動表示ゲーム（図柄遊技）を開始し、一定時間経過後に、その結果を特別図柄表示装置３８に表示するようになっている。このとき、上記特別図柄変動表示ゲームに連動する形態で、装飾図柄を液晶表示装置３６に変動表示させて、装飾図柄変動表示ゲームを開始し、上記一定時間経過後に、特別図柄表示装置３８に抽選結果が表示されると共に、液晶表示装置３６にも装飾図柄によりその結果が表示される。
【００３０】
したがって、特別図柄表示装置３８での特別図柄変動表示ゲームの結果が「大当り」であった場合、この液晶表示装置３６の装飾図柄変動表示ゲームの結果も「大当り」を反映させた演出が現出される。また、特別図柄表示装置３８には、大当りを示す特別図柄が所定の表示態様（たとえば、２個の７セグが全て「７」の表示状態）で停止表示され、液晶表示装置３６には、「左」「中」「右」の各表示エリアにおいて、当り有効ライン上で装飾図柄が上記大当り抽選結果を反映させた所定の表示態様（たとえば、「左」「中」「右」の各表示エリアにおいて、３個の装飾図柄が「７」「７」「７」の表示状態）で停止表示される。
【００３１】
そして、この大当りとなった場合には、特別変動入賞装置ソレノイドが作動して開放扉４２ｂが開き、これにより大入賞口４０が所定パターンで開閉制御されて、通常遊技状態よりも遊技者に有利な特別遊技状態（大当り遊技）が発生する。この大当り遊技では、開放扉４２ｂが所定時間（たとえば、２９秒）開放して大入賞口４０が開放されるか、または所定個数（たとえば、９個）の遊技球が入賞するまで大入賞口４０が開放され、その後、所定時間（たとえば、２秒）開放扉４２ｂが閉まって大入賞口４０を閉鎖する、といった動作（ラウンド遊技）が所定回数（たとえば、最大１５回（最大１５Ｒ（ラウンド））繰り返されるようになっている。
【００３２】
＜主制御基板ケース２６＞
図４は、主制御基板２７を収納した主制御基板ケース２６の外観を示す。主制御基板ケース２６は、全体として扁平な略矩形状であって、図５に示すように、互いに係脱自在の第１のケース体５１と第２のケース体５２とを備えると共に、その外周側の一辺、たとえば左端側に沿って封止手段５３が設けられ、また第１のケース体５１と第２のケース体５２とは、開閉可能な状態で連結部材（連結手段）５４により連結されている。また第１のケース体５１と第２のケース体５２は、互いに閉じてロック状態とした後、貼付するシールを保護するため、下方から略Ｕ字形のバインド部材（シールカバー部材）５５により弾性的に前後方向から挟持される。これら第１のケース体５１、第２のケース体５２、封止手段５３、連結手段５４、シールカバー部材５５を含む全体が透明な合成樹脂により成形されている。
【００３３】
図５に示すように、主制御基板ケース２６内に格納される主制御基板２７は矩形状であって、その一面側には、中央寄りの部分にＣＰＵ、ＲＯＭ、ＲＡＭ等の電子部品５６が配置され、また外縁部近傍には、コネクタ（被接続部）５７が装着されている。
【００３４】
第２のケース体５２は、図５に示すように、主制御基板２７の電子部品装着面側に対向する上壁６１と、その上壁６１の三辺、たとえば上下辺および右辺に沿って主制御基板２７の裏面側に向けて延設された周壁６２、６３、６４（図６参照）とを一体に備え、主制御基板２７の裏面側に対応する面、および外周側の残りの一方側、すなわち左側の面はその略全面が開放されて開口６５、６６を形成している。
【００３５】
そして、上壁６１の内面側には、図６に示すように、左側の開口６６から所定距離内側（右の周壁６４側）の位置に仕切り壁６７が右の周壁６４と略平行に配置されている。この仕切り壁６７は、主制御基板ケース２６内の空間を封止領域２６ｂと基板格納領域２６ａとに仕切るもので、周壁６２〜６４と仕切り壁６７とで取り囲まれた領域が基板格納領域２６ａ、仕切り壁６７よりも開口６６側の領域が封止領域２６ｂとなっている。なお、仕切り壁６７の両端部と周壁６２、６３との間にはそれぞれ隙間６７ａが形成されている（図６）。
【００３６】
上壁６１のうち、基板格納領域２６ａに対応する基板側上壁には、内部に配置される主制御基板２７との間に電子部品５６の収容空間を確保できるように、基板支持面７０（図６）から外向き（遊技機の後向き）に膨出部６８（図５参照）が形成されると共に、周壁６２、６３、６４に沿って複数箇所に、膨出部６８よりも低い段部６９（ここでは段部６９ａ〜６９ｄ）が形成されている。これらの段部６９は、主制御基板ケース２６の内側（図６）から見ると、基板格納領域２６ａの内周囲に隆起部７０ａ、７０ｂまたは段差部７０ｃ、７０ｄとして存在し、それら全体として主制御基板２７を支持する基板支持面７０を形成している。
【００３７】
段部６９には、制御基板の被接続部５７が露出する開口部として、主制御基板２７側のコネクタ５７が内側から嵌合するコネクタ嵌合孔７１が１個または複数個設けられている。
【００３８】
主制御基板２７は、電子部品装着面を上壁６１側に向けた状態で第２のケース体５２の基板格納領域内に嵌め込まれ、基板支持面７０に支持され、固定基部にねじ止めすることにより固定される。
【００３９】
上壁６１のうち、封止領域２６ｂに対応する封止側上壁には、図６に示すように、基板側上壁との境界部に沿って段部６９と同じ高さに配置される低壁７２と、この低壁７２の開口６６側に突出状に設けられ且つ低壁７２よりも一段高い高壁７３とを備え、それら低壁７２と高壁７３との間はそれら低壁７２および高壁７３に略垂直な起立壁７４により連結されている。
【００４０】
図７において、高壁７３の外面側は、連結部材５４の一端側を固定するための第２の固定ベース部７５となっている。この第２の固定ベース部７５は、高壁７３に突設した複数のカシメピン７６（固定手段）と、高壁７３の外縁部に沿って設けた囲いリブ７７とを備えている。
【００４１】
また、図５から判るように、上下の周壁６２、６３の封止領域２６ｂ側端部、すなわち左端部には、高壁７３の上下辺と略平行に突出する一対の係合突部７８が設けられている。この係合突部７８は第１のケース体５１に対する差込部となる。また、上下の周壁６２、６３の基板格納領域２６ａに対応する外面側には、第１のケース体５１にスライド式に嵌め合わせて一体化するため、外向き突出状の係合爪７９が、開口６５側の縁部に沿って間欠的に複数設けられている。
【００４２】
また、図６に示すように、係合突部７８の設けられている第２の固定ベース部７５側とは反対側の周壁６４には、第１のケース体５１の嵌合壁７５に設けた係止穴８０ａ（図５）に差し込むための差込突起８０が設けられている。
【００４３】
第１のケース体５１は、図５に示すように、底壁８１、側壁８２、嵌合壁８３、８４、８５を一体に備えており、第２のケース体５２と向かい合わせに嵌め合わせたとき、底壁８１、側壁８２がそれぞれ第２のケース体５２側の開口６５、６６を略閉鎖すると共に、嵌合壁８３、８４、８５がそれぞれ第２のケース体５２側の周壁６２、６３、６４の外面側に嵌合するようになっている。
【００４４】
また、底壁８１には、第２のケース体５２側の上下の周壁６２、６３の内面側に沿う一対の案内壁８６、８７が、側壁８２の内面側から嵌合壁８５側に向けて上下の嵌合壁８３、８４の内側に平行に配置されている。これら案内壁８６と嵌合壁８３との間、および案内壁８７と嵌合壁８４との間は、第２のケース体５２側の周壁６２、６３が摺動自在に嵌合する案内溝８８、８９となっている。
【００４５】
また、上下の嵌合壁８３、８４には、第２のケース体５２側の係合爪７９がそれぞれ係脱自在に係合可能な被係合部９０が設けられている。この被係合部９０は、図１７に示すように、係合爪７９が嵌脱自在に入り込む切り欠き部９０ａと、案内溝８８、８９に沿ってこれら切り欠き部９０ａに対して封止領域２６ｂとは反対側（右側）に隣接して設けられ且つ係合爪７９がそれぞれ係合する係止部９０ｂとで構成されている。
【００４６】
そして係合爪７９を図１０の如くそれぞれ切り欠き部９０ａに嵌合させるように第２のケース体５２を第１のケース体５１に嵌め合わせ（アンロック状態）、第２のケース体５２を第１のケース体５１に対して封止領域２６ｂとは反対側（図１０の矢印方向）に向けて相対的にスライドさせる（以下、この方向をスライド方向という）ことにより、係合爪７９が係止部９０ｂにそれぞれ係合して、第１のケース体５１と第２のケース体５２とが互いに結合状態でロックされる（ロック状態）ようになっている。
【００４７】
これら第１のケース体５１側の被係合部８０と第２のケース体５２側の係合爪７９とが、それら第１のケース体５１と第２のケース体５２とを閉状態でロックするための主ロック手段を構成している。
【００４８】
側壁８２には、案内溝８８、８９に対応して一対の被係合穴９１（図５）が形成されており、第１のケース体５１と第２のケース体５２とをアンロック状態に嵌め合わせる前に、図９に示すように第２のケース体５２側の係合突部７８を案内溝８８、８９に沿って被係合穴９１に差し込むことにより、図１０に示すように、係合突部７８が被係合穴９１に係合して第１、第２のケース体５１、５２の開方向への移動を規制するようになっている。また、係合突部７８と被係合穴９１とは主ロック手段がアンロック状態のときだけでなくロック状態となったときにも係合状態が維持されるようになっている。このロック状態下では、図８に示すように、第２のケース体５２の差込突起８０が、第１のケース体５１の係止穴８０ａに差し込まれる状態となる。
【００４９】
これら第１のケース体５１側の被係合穴９１と第２のケース体５２側の係合突部７８とが、並びに、上述の第２のケース体５２側の差込突起８０と第１のケース体５１側の係止穴８０ａが、それら第１のケース体５１と第２のケース体５２とを閉状態で補助的にロックするための補助ロック手段を構成している。
【００５０】
封止手段５３は、主制御基板ケース２６の封止領域２６ｂに対応して、第２のケース体５２側の開口６６および第１のケース体５１側の側壁８２に沿って一列状に複数（ここでは２組）配置されている。
【００５１】
各封止手段５３は、図５に示すように、第１のケース体５１側の被結合部９２と、第２のケース体５２側の封止部材９３および開封障害部９４（図６参照）とで構成されている。
【００５２】
被結合部９２は、図１３に示すように、第１のケース体５１側の側壁８２の内面側に突設された嵌合支持部９８上に設けられている。被結合部９２は、第１のケース体５１側の側壁８２の内面側に、側壁８２に沿って複数（ここでは２つ）設けられている。各被結合部９２は、図１１に示すように、スライド方向に設けられた三条のスリットを有し、その中央の挿通スリット９５内に、封止部材９３の先端が挿通されて拘束されるように形成されている。
【００５３】
また、嵌合支持部９８の表面には前後方向（図１１の上下方向）の動きを案内する一対の案内板１００が立設されている。また、案内板１００の対向面側には、図１３に示すように、封止部材９３の左右方向（図１３の左右方向）への動きを規制する規制部９９が突設されている。
【００５４】
また、側壁８２の外面側には、図５に示すように、連結部材５４の一端側を固定するための第１の固定ベース部９６が設けられている。
【００５５】
封止部材９３および開封障害部９４は、図６に示すように、封止領域２６ｂに対応して第２のケース体５２側に形成された封止用開口部９７内に配置されている。
【００５６】
封止部材９３は、図１１に示すように、断面矩形状の軸部９３ａと、その一端側に設けられた鍔部９３ｂと、他端側に設けられた台形状の結合部９３ｃと、鍔部９３ｂの周囲から前側（図１１では下側）に延在するＵ字形の側壁９３ｄとを備え、図６に示すように、損壊容易な保持部９３ｅを介して第２のケース体５２に一体成形されている。そして、主制御基板ケース２６を封止する際に、図１１の状態において封止部材９３の後端がドライバー等の工具で押圧されると、それによって保持部９３ｅが損壊して第２のケース体５２側から切り離され、図１２のように、挿通スリット９５内に封止部材９３の結合部９３ｃが挿通され、これにより封止部材９３が第１のケース体５１側の被結合部９２の離脱不能に結合するようになっている。
【００５７】
封止部材９３が被結合部９２側に押し込まれたとき、側壁９３ｄが案内板１００と規制部９９とに沿って摺動し、被結合部９２側に案内される。なお規制部９９は、鍔部９３ｂが保持部９３ｅにより第２のケース体５２側に連結されている状態（図１１）ではその端部が側壁９３ｄに到達しない長さに設けられており、第１のケース体５１に対して第２のケース体５２をスライドさせる際に側壁９３ｄが規制部９９と干渉しないようになっている。
【００５８】
開封障害部９４は、主制御基板ケース２６の外側からニッパー等により容易に損壊可能な第１の損壊部９４ａおよび第２の損壊部９４ｂと、当接部９４ｃとからなり、封止部材９３が第２のケース体５２側から切り離されて第１のケース体５１側に結合したとき、その封止部材９３のスライド方向ロック側の当接部９４ｃに当接または略当接し、第２のケース体５２の開放を阻止するようになっている。
【００５９】
連結部材５４は、第１のケース体５１と第２のケース体５２とを開閉可能な状態で接続するためのもので、図１４に示すように、第１のケース体５１側の第１の固定ベース部９６にカシメピン５８（熱カシメ）によりにより着脱不能に固定される第１の固定部５４ａと、第２のケース体５２側の第２の固定ベース部７５にカシメピン７６（熱カシメ）により着脱不能に固定される第２の固定部５４ｂと、これら第１の固定部５４ａと第２の固定部５４ｂとの間を連結する連結帯（連結部）５４ｃとを備え、合成樹脂により一体成形されている。
【００６０】
連結帯５４ｃは十分な可撓性を有する平板状であり、第１のケース体５１と第２のケース体５２とを通常の手順で開閉する際に支障がない範囲でなるべく短く形成されている。この連結帯５４ｃには、その長手方向の二箇所にミシン目状のスリット５４ｄからなる易破断部が設けられている。
【００６１】
第１のケース体５１と第２のケース体５２との結合および封止は次のような手順で行う。まず主制御基板２７を第２のケース体５２の内側に装着し、その第２のケース体５２側の一対の係合突部７８を第１のケース体５１側の案内溝８８、８９に沿って被係合穴９１に内側から差し込んだ後、第２のケース体５２側の係合爪７９を第１のケース体５１側の切り欠き部９０ａに位置させてアンロック状態とする（図９→図１０）。
【００６２】
そして、第２のケース体５２と第１のケース体５１とを相対的にスライドさせて、係合爪７９を係止部９０ｂにまた差込突起８０を係止穴８０ａに係合させ、第１のケース体５１と第２のケース体５２とを結合状態でロックする。
【００６３】
続いて、複数（２組）の封止手段５３のうちの１つを用いて主制御基板ケース２６を封止する。すなわち、ドライバー等の工具の先端を、操作孔６０を介して封止部材９３に当て押圧する。これにより、図１２に示すように、保持部９３ｅが損壊してその封止部材９３が第２のケース体５２から切り離されると共に、その封止部材９３の先端側の結合部９３ｃが両側を押し広げながら挿通スリット９５内に嵌合する。このとき、封止部材９３は、その周囲の案内板１００、規制部９９および当接部９４ｃに沿って押圧方向に真っ直ぐに案内される。
【００６４】
封止部材９３は第２のケース体５２から完全に独立した状態で第１のケース体５１側に離脱不能に結合した状態となる（図１３）。
【００６５】
このとき、開封障害部９４の当接部９４ｃが、封止部材９３のスライド方向ロック側の面、すなわち側壁９３ｄの外面側に当接または近接した状態となる。したがって、その状態で、第２のケース体５２と第１のケース体５１とを開方向、すなわち、それらの右の周壁６４と右の嵌合壁８５とを離間させる方向に相対的にスライドさせようとしても、第１のケース体５１側に結合している封止部材９３が、当接部９４ｃを介して第２のケース体５２の開方向への相対移動を規制するため、そのままでは主制御基板ケース２６を開封することはできない。
【００６６】
また、このように封止部材９３を第２のケース体５２から切り離した後には、大きく開口が残ることになるが、連結部材５４の第２の固定部５４ｂにより略覆われているため、外部から開口を介して封止部材９３の被結合部９２への結合を強引に解除する等の不正行為を行うことは困難である。
【００６７】
また、連結部材５４により連結されているため、この連結部材５４を切断等しない限り、第１のケース体５１を第２のケース体５２から切り離すことはできない。したがって、痕跡を残すことなく、その損壊した第１のケース体５１を複製品と取り替えて主制御基板ケース２６を開封前と同じ状態に復元することは不可能であり、そのような不正行為を効果的に防止できる。
【００６８】
検査等のために主制御基板ケース２６を正規に開封する場合には、封止状態となっている封止手段５３の第１、第２の損壊部９４ａ、９４ｂをニッパー等の切断工具を用いて切断し、開封障害部９４を第２のケース体５２から切り離して除去する。これにより、第２のケース体５２を第１のケース体５１に対してアンロック方向にスライドさせる際に封止部材９３に規制される部分がなくなるため、主制御基板ケース２６を開封することができる。
【００６９】
第２のケース体５２の周壁６３の一部には、封止用シールを添付するシール添付領域を確保するため、そのほぼ半分の面積規模に対応する矩形状の平坦領域１０１（シール添付面１０１）（図７参照）が形成されており、このため第２のケース体５２の周方向の段部６９ｃと段部６９ｄの間には、図５に示すように段部６９ａ〜６９ｄよりも隆起した中段部６９ｅが形成されている。また第１のケース体５１の下辺の一部から裏面の一部の領域にかけて、上記シール添付領域の残りのほぼ半分の面積規模に対応する矩形状の平坦領域１０２（シール添付面１０２）（図１６参照）が形成されている。図示してないシールは、このシール添付面１０１、１０２にかけて貼付され、第１のケース体５１と第２のケース体５２間を封止する。
【００７０】
上述したＵ字形のシールカバー部材５５は、このシール添付面１０１、１０２にかけて貼付されるシール（図示せず）を傷つけないように保護するものであり、上記一体化された主制御基板ケース２６の下部を下方から挟持する構造となっている。このシールカバー部材５５はＵ字形の一方の腕部５５ａの先端に、第２のケース体５２側の中段部６９ｅに設けた係止用溝１０３（図７参照）に図８のように嵌入する係止条１０４（図５参照）を有する。そして、一方の腕部５５ａと基部５５ｃとの間にスリット５５ｄ（図１４参照）を有する。
【００７１】
また傷つけないようにシールを避けてシールカバー部材５５をセットするため、図５から判るように、このシールカバー部材５５はＵ字形の他方の腕部５５ｂの先端両側に、シールを避けるための架橋片１０５が長手方向に突出して設けられている。そして、図１４〜図１６に示すように、シール添付面１０１、１０２を取り囲むようにリブ１０６が設けられている。
【００７２】
シールカバー部材５５を取り付ける場合は、まず図１５に実線で示すように、Ｕ字形の一方の腕部５５ａの先端に設けてある係止条１０４を、第２のケース体５２側の中段部６９ｅに設けた係止用溝１０３に引っ掛ける。このときＵ字形の両腕部の可撓性のある先端間を弾性的に若干開くようにして、他方の腕部５５ｂの先端両側に設けてある架橋片１０５を、シール添付面１０１、１０２を取り囲むリブ１０６上に乗せる。架橋片１０５がリブ１０６上にある限り、シールカバー部材５５は何処もシールに接触しておらず、シールから浮いた状態になる。
【００７３】
次いで、係止用溝１０３を中心として、図１５の矢印方向にシールカバー部材５５を旋回させる。Ｕ字形の他方の腕部５５ｂの先端両側に設けてある架橋片１０５は、図１５に一点鎖線で示すようにリブ１０６上を滑って第１のケース体５１の側に回り込む。さらにシールカバー部材５５を矢印方向に旋回させると、架橋片１０５はリブ終端に至り、リブ１０６の存在しなくなった所でリブ１０６上から外れ、Ｕ字形の撓みの復帰力により架橋片１０５はリブ終端から落ちる（図１６参照）。すなわち、図１４に示すように、第１のケース体５１と第２のケース体５２を外方から弾性的に挟み付ける形で取り付けられる。かくして、Ｕ字形の基部５５ｃと他方の腕部５５ｂとによる断面Ｌ字形の部分により、第２のケース体５２のシール添付面１０１から第１のケース体５１のシール添付面１０２に跨って貼付されているシールが覆われて、シールの不正な取り替えなどから保護される。
【００７４】
＜配線部材の係止構造＞
図８に示すように、第２のケース体５２の周壁６３、６４に沿って膨出部６８よりも低く形成された段部６９ｃ、６９ｄ上には、コネクタ嵌合孔７１から主制御基板２７側のコネクタ５７が突出している。主制御基板２７側の電気部品と主制御基板ケース２６外の電気部品との電気的接続は、これらのコネクタ５７とこれに接続されるハーネスと称される配線部材３００（図１８参照）とを介して行われる。配線部材３００は、コネクタ５７（被接続部５７）に接続可能なコネクタ（接続部）３０１と、該接続部３０１から延出する配線３０２とを備える電気部材である。すなわち、互いに分離可能に嵌合されて使用されるコネクタ対のうち、コネクタ５７は上記コネクタ対を構成する第１のコネクタであって、基板ケースのコネクタ嵌合孔（開口部）から露出しており、コネクタ３０１は上記コネクタ嵌合孔から露出する第１のコネクタに接続されて同コネクタ対を構成する第２のコネクタである。
【００７５】
この実施形態では、コネクタ（被接続部）５７が受け型の雄コネクタで、コネクタ（接続部）３０１が差込型の雌コネクタである構成となっているが、これに限定されるものではない。「被接続部」と言った場合、被接続部は受け型や雌コネクタに限定されず、受け型または差込型のいずれであってもよく、また雄または雌のいずれでのコネクタあってもよい。接続部はこれらの相手側コネクタとして形成されるものであり、同様に差込型の雌コネクタに限定されず、上記の被接続部を構成するコネクタの形式に応じて、受け型または差込型としあるいは雄コネクタまたは雌コネクタとすればよい。
【００７６】
上記のコネクタ５７に差し込まれた配線部材３００のコネクタ３０１から延在する配線３０２を途中で止めて所望の配向に整える処理をするため、主制御基板ケース２６には所要の箇所に係止構造２００が設けられている。
【００７７】
これらの係止構造２００のうち、図１７は、第２のケース体５２の周壁６３に沿って膨出部６８よりも低く形成された段部６９ｃ上に設けた係止構造を示す。この係止構造２００が設けられている段部６９ｃは、その直ぐ上方に上壁６１を形成する膨出壁６１ａが存在している場所であり、このため配線部材３００の配線３０２を引っ張るなどの操作方向の制約を受ける場所となっている。そこで、この係止構造２００は、コネクタ５７に近い特殊な箇所であることを考慮して、配線３０２の係止処理が容易となり、かつ、コネクタ５７から延出する配線部材３００の配線３０２を一旦屈曲させて抑え込むような位置および配向で配置されている。
【００７８】
上記の係止構造２００は、配線部材３００の配線３０２を途中で止めるため段部６９ｃ上に、第１の起立片２０１と第２の起立片２０２が並設されて構成されている。ここでは合成樹脂にて第１、第２の起立片２０１、２０２を段部６９ｃに一体に形成しているため、段部６９ｃには開口２０９が残っている。このため、この開口２０９から不正部材が差し込まれて、主制御基板２７に不正な処理が施される可能性がある。しかし、本実施形態の場合、上壁６１の内面側には、図６に示すように、開口２０９と主制御基板２７との間に入り込む形で、仕切り壁６７の一部が設けられているため、開口２０９から差し込まれた不正部材はこの仕切り壁６７で阻止される。すなわち、それ以上進入することができないので、不正行為が有効に防止される。
【００７９】
図１７において、第１の起立片２０１と第２の起立片２０２は、配線３０２の挿通方向に所定の幅Ｗを持つ平板状であり、段部６９ｃ上面からほぼ直角に所定の高さＨで立設されかつ所定の間隔Ｄ（図１９）だけ隔てて向き合うように並置されている。この第１、第２の起立片２０１、２０２に係る所定の幅Ｗ、所定の高さＨおよび所定の間隔Ｄは、内側空間に挿通する全ての配線３０２を所望通りに止められるように定められる。
【００８０】
第１、第２の起立片２０１、２０２のうちの少なくとも一方には、頂部付近から相手側起立片の内側壁の基部２０１ｂ方向に向うフック部が設けられる。この実施形態の場合、第１の起立片２０１はフック部の存在しない平板状に形成され、第２の起立片２０２にのみ、その頂部２０２ａ付近から、第２の起立片２０２より若干短い幅Ｗ２（図１８参照）で、相手側の第１の起立片２０１の内側壁下方（基部２０１ｂの方向）に向うフック部２０３が設けられていて、このフック部２０３が配線押さえ部として作用するように構成されている。
【００８１】
フック部２０３の高さＨおよび幅Ｗ２は、起立片の幅Ｗおよび間隔Ｄと共に、配線３０２の収納可能な空間の大きさを定めるとともに、配線３０２の配向を規制する。したがってフック部２０３は、主制御基板ケース２６に収納された主制御基板２７の被接続部５７と接続部３０１で接続された配線部材３００の配線３０２を所望の位置および配向に整える働きをなし、上記した配線押さえ部としての機能は、同時に、配線３０２をフック部２０３に通した際に、図１８の如くコネクタ５７から一旦屈曲して導出された配線３０２を低く拘束するように高さを規制する引き出し規制部としても機能することになる。
【００８２】
フック部２０３は、図１９から分かるように、配線３０２の挿通方向と直交する面方向から見た場合、全体としてくちばし状に湾曲しており、緩やかな傾斜部２０４とこれに続く下向きの湾曲部２０５とからなる。このフック部２０３は、先端が第１の起立片２０１の内側壁２０１ｃに接していても良いが、この実施形態では先端２０３ａ（正確には先端辺２０３ａ）が第１の起立片２０１の内側壁２０１ｃから若干離れて位置しており、先端辺２０３ａと第１の起立片２０１の内側壁２０１ｃとの間には配線３０２の一本分程度の狭い隙間Ｇが残っている。
【００８３】
配線部材３００を取り付ける場合は、フック部２０３上において、配線部材３００の配線３０２が隙間Ｇのラインと並行に配置されると共に、くちばし状に湾曲したフック部２０３の上面に沿って案内されつつ、隙間Ｇに配線３０２が寄せる。そして、可撓性のあるフック部２０３の先端辺２０３ａを少し基部２０１ｂの方向に沈ませながら、配線３０２を段部６９ｃに向けて押すことにより配線３０２を隙間Ｇに通過させる。これにより、図１８および図１９に示すように、配線３０２がフック部２０３の内側空間２０７内に納められる。これによりフック部２０３により外れにくい状態で配線部材３００の配線３０２が係止構造２００に把持される。外れ難く配線３０２が係止構造２００に把持されるので、配線部材３００のコネクタ３０１は必ずしも先にコネクタ５７に差し込んでおく必要はなく、先に配線３０２をフック部２０３に止めておき、必要な段階でコネクタ５７に差し込むことができる。
【００８４】
またフック部２０３は、図１８から分かるように、第２のケース体５２の背面側（段部６９ｃと平行な面方向）、つまり図１８の紙面に垂直な方向から見たとき、コネクタ５７に近い側である一方の側辺２０３ｂが、そのほぼ中間部から先端辺２０３ａの中間部にかけて斜めにカットされた形の斜辺部（傾斜案内部）２０６が形成されている。この傾斜案内部２０６は、配線部材３００の配線３０２をフック部２０３から外す場合に、配線３０２が容易に外れるように案内するものである。コネクタ５７に近い側に傾斜案内部２０６を形成することは、コネクタ５７から配線部材３００のコネクタ３０１を取り外した後、配線部材３００を掴んでいる手を替える必要なしに、すぐに配線部材３００の配線３０２をフック部２０３から外すことができ、取り外し作業の操作性が高まるという利点を有する。
【００８５】
この実施形態の場合、傾斜案内部２０６は、フック部２０３の一側辺２０３ｂの途中から先端辺２０３ａの途中にかけてほぼ４５度にカットされているが、これより小さい角度または大きい角度でカットした斜辺部により構成することもできる。また、傾斜案内部２０６は、フック部２０３の他方の側辺２０３ｃに設けてもよいし、フック部２０３の両側辺２０３ｂと２０３ｃに設けることもできる。
【００８６】
＜係止構造２００の作用＞
次に、上記のように配線部材３００を案内する斜めに形成した傾斜案内部２０６の作用について、図２０を参照しながら説明する。
【００８７】
図２０（ａ）は、上記のようにして配線部材３００の配線３０２がフック部２０３に把持されている状態を示す。フック部２０３が第２の起立片２０２から第１の起立片２０１に向けて延在する方向をＸ方向とし、フック部２０３の内側空間２０７に挿通されて延在する配線３０２の方向をＹ方向とし、このＸ、Ｙ方向に直交する方向をＺ方向とする。図２０（ａ）中の矢印は、配線部材３００の配線３０２をフック部２０３から外す場合に、作業者が配線３０２を操作する方向を概略的に示したものである。
【００８８】
配線部材３００の配線３０２をフック部２０３から外す場合には、まず傾斜案内部２０６の側における配線部材３００の配線３０２の全体を片手で把持し、図２０（ｂ）に示すようにＺ方向に上げつつ、傾斜案内部２０６の存するフック部２０３のＹ方向の凹所２０８（フック部Ｚ方向上方から見た三角形空間２０８）（図１８参照）内に、配線部材３００の配線３０２の全部または大多数を寄せて集める。このとき凹所２０８は、フック部２０３のＺ方向上方から見たとき、一方の側辺２０３ｂの側が広く隙間Ｇに近づくほど先細となる三角形の空間であるので、容易にこの凹所２０８内に入る。すなわち傾斜案内部２０６はこの配線３０２の寄せ操作の案内部として作用する。図２０（ｂ）は一度に全部の配線３０２が傾斜案内部２０６の存する凹所２０８に案内されて三角形の空間内に入った状態を示す。
【００８９】
次に、傾斜案内部２０６の側における配線部材３００の配線３０２の全体を片手で把持して図２０（ｂ）に示すＺ方向に上げた状態を維持しつつ、図２０（ｃ）に示すように、隙間Ｇのラインに沿ったＹ方向（矢印方向）に配線部材３００の配線３０２の全体を引っ張る。これにより凹所２０８（三角形空間２０８）内の配線３０２が傾斜案内部２０６に沿って隙間Ｇの入口に向って案内され、そのままＹ方向への引張りを続けると、配線３０２の全部あるいは大多数または一本以上が隙間Ｇのライン入口に入り込み、さらにＹ方向の引張りを続けることにより隙間Ｇのライン出口を抜け出る。配線３０２は一本づつであるか一度に複数本であるかまたは全部あるいは大多数であるかを別にして、いずれにしても結果として全部の配線３０２が隙間Ｇのラインを通過して、フック部２０３を抜け出る。この配線３０２がフック部２０３を抜け出た直後の状態を図２０（ｃ）に示す。
【００９０】
このように本実施形態の係止構造２００は、配線部材３００の配線３０２が傾斜案内部２０６の面に沿って隙間Ｇのライン入口に向かって案内されると共に、その後は隙間のライン方向に沿って引っ張られるため、簡単に隙間Ｇのライン入口に入りかつフック部２０３の可撓性と相まって、容易に隙間Ｇのライン出口から抜け出ることができる。しかも配線３０２の全部を一度に隙間から抜け出させることが可能である。
【００９１】
従来、２つのフック部を互いに対向して配置し、そのフック部を構成する突起の下面を斜め上方に向かう傾斜面とすることで、フック部２０３間の隙間へ配線部材を移行させやすくするなどの工夫（たとえば特許文献２の図６）も提案されているが、起立片の幅方向に存在するフック部２０３間の隙間に並行に配線部材を寄せる案内作用をなすだけであり、起立片の幅内へ配線部材を斜面で滑らして案内する作用までは有しない。したがって、外し易さの点で改善の余地が残っている。
【００９２】
（比較例）
次に比較例として、上記傾斜案内部２０６の存在する凹所（三角形空間）２０８が設けられていない係止構造の場合について、説明する。
【００９３】
図２１（ａ）は、上記傾斜案内部２０６が存在せず、したがって凹所（三角形空間）２０８が設けられていない係止構造２１０により、配線部材３００の配線３０２が係止されている状態を示す。この係止構造２１０は、フック部２１１の一方の側辺２１１ｂが他方の側辺２１１ｃと平行な直線状である他は、上記の係止構造２００と同じである。
【００９４】
配線部材３００の配線３０２をフック部２１１から外す場合には、まず配線部材３００の配線３０２における係止構造２００の両側を両手で把持し、図２１（ｂ）に示すようにＸ方向の隙間Ｇ側に寄せる。
【００９５】
次に、配線部材３００の配線３０２を、配線一本３０２ａづつ係止構造２００の両側を両手で把持し、図２１（ｃ）に示すように、配線一本３０２ａづつ隙間Ｇ内をＺ方向に並行に引き上げる。このとき隙間Ｇは配線一本３０２ａの直径と同等かそれより狭く構成されており、またフック部２１１の全幅にわたって配線３０２を平行にくぐらせる必要があるため、配線一本３０２ａといえども、なかなか隙間ＧをＺ方向に通過させることができない。
【００９６】
しかし本発明の実施形態に係る係止構造２００では、傾斜案内部２０６の存在する凹所（三角形空間）２０８が設けられているため、容易に隙間Ｇのライン入口に案内でき、しかもＺ方向に引きつつＹ方向に引っ張ることにより、隙間Ｇのライン入口からライン出口まで容易に配線３０２を引き抜くことができ、極めて簡単に配線３０２全体をフック部２０３から外すことができる。
【００９７】
＜変形例＞
上記実施形態では、二つの起立片２０１、２０２を並設した構造について述べたが、起立片２０２に対向させて設けられる相手側部材は、上壁６１の膨出壁６１ａ（図１７参照）などであってもよい。すなわち、起立片２０２には、その頂部付近から相手側部材である膨出壁６１ａの対向面の基部方向に向うフック部２０３を設け、その一側辺２０３ｂから先端辺２０３ａにかけて斜めに傾斜案内部２０６を形成した構成とすることができる。
【００９８】
また上記実施形態では、フック部２０３をその一側辺２０３ｂの中間部から先端辺２０３ａの中間部にかけて斜めに傾斜案内部２０６を形成した。しかし傾斜案内部２０６の形態はこれに限定されない。傾斜案内部２０６は、フック部２０３の一側辺２０３ｂから先端辺２０３ａにかけて斜めに形成した形態であればよく、フック部２０３の一側辺２０３ｂの任意の箇所から先端辺２０３ａの任意の箇所にかけて斜めに傾斜案内部２０６を形成した構成とすることができる。これには、傾斜案内部２０６の始端を一側辺２０３ｂの起立片２０２と接する部位または近傍に定めた形態や、また傾斜案内部２０６の終端を先端辺２０３ａの他側辺と接する部位または近傍に定めた形態が含まれる。もちろん、このように選択しうる始端から終端の範囲で、一側辺２０３ｂの所定箇所から先端辺２０３ａの所定箇所にかけて所望する傾斜角度の傾斜案内部２０６を形成することができる。本明細書において「フック部２０３の一側辺２０３ｂから先端辺２０３ａにかけて斜めに傾斜案内部２０６を形成する」といった場合、このような形態を全て含むものである。
【００９９】
上記実施形態では、フック部２０３と相手側の第１の起立片２０１と間の隙間Ｇを狭く構成した係止構造について述べたが、フック部２０３と相手側起立片２０１と間の隙間を無くした構成に対しても、本発明所期の効果を得ることができる。
【０１００】
上記実施形態では、係止構造２００を主制御基板ケース２６に設けたが、主制御基板ケース２６以外の基板ケースまたは基板ケース以外の任意の箇所に、上記した係止構造２００を設けることもできる。
【０１０１】
また上記実施形態では第２の起立片２０２のみにフック部２０３を設けているが、相手側部材の第１の起立片２０１にも、第２の起立片２０２のフック部２０３に対峙するようにフック部２０３を設けることができる。この構成において、第１の起立片２０１のフック部２０３と第２の起立片２０２のフック部２０３の双方または一方に、上記の凹所（三角形空間）２０８を設けることができる。
【産業上の利用可能性】
【０１０２】
本発明は配線部材３００の配線３０２をフック部２０３により止める係止構造２００を有する遊技機に適用することができる。
【符号の説明】
【０１０３】
１      パチンコ遊技機、
２      前面枠、
３      遊技盤、
４      外枠、
５      球誘導レール、
６      ガラス扉枠、
７      前面操作パネル、
８      上受け皿ユニット、
９      上受け皿、
１１      球貸しボタン、
１２      カード返却ボタン、
１３      枠演出ボタン、
１４      球抜きボタン、
１５      発射操作ハンドル、
１６      裏機構盤、
１７      遊技球貯留タンク、
１８      タンクレール、
１９      遊技球払出装置、
２１      外部端子基板、
２２      端子基板ケース、
２３      裏カバー、
２４      演出制御基板、
２５      液晶制御基板、
２６      主制御基板ケース、
２７      主制御基板、
２８      払出制御基板ケース、
２９      払出制御基板、
３０      電源基板ケース、
３１      電源基板、
３３      発射制御基板、
３４      上始動口、
３５      下始動口、
３６      液晶表示装置、
３７      普通図柄始動口、
３８      特別図柄表示装置、
３９      普通図柄表示装置、
４０      大入賞口、
４１      普通変動入賞装置、
４２      特別変動入賞装置、
４３      一般入賞口、
４４      風車、
４５      装飾ランプ、
４６      スピーカ、
４７      可動翼片、
４８      センター飾り、
４９      アウト口、
５１      第１のケース体、
５２      第２のケース体、
５３      封止手段、
５４      連結部材（連結手段）、
５４ａ    第１の固定部、
５４ｂ    第２の固定部、
５４ｃ    連結帯、
５４ｄ    スリット、
５５      シールカバー部材、
５５ａ    一方の腕部、
５５ｂ    他方の腕部、
５５ｃ    基部、
５５ｄ    スリット、
５６      電子部品、
５７      コネクタ（被接続部）、
５８      カシメピン、
６０      操作孔、
６１      上壁、
６１ａ    膨出壁、
６２〜６４      周壁、
６５、６６      開口、
６７      仕切り壁、
６８      膨出部、
６９、６９ａ〜６９ｄ      段部、
６９ｅ    中段部、
７０      基板支持面、
７１      コネクタ嵌合孔、
７２      低壁、
７３      高壁、
７４      起立壁、
７５      第２の固定ベース部、
７６      カシメピン、
７７      囲いリブ、
７８      係合突部、
７９      係合爪、
８０      差込突起、
８０ａ    係止穴、
８１      底壁、
８２      側壁、
８３〜８５      嵌合壁、
８６〜８７      案内壁、
８８〜８９      案内溝、
９０      被係合部、
９０ａ    切り欠き部、
９０ｂ    係止部、
９１      被係合穴、
９２      被結合部、
９３      封止部材、
９３ａ    軸部、
９３ｂ    鍔部、
９３ｃ    結合部、
９３ｄ    側壁、
９３ｅ    保持部、
９４      開封障害部、
９４ａ    第１の損壊部、
９４ｂ    第２の損壊部、
９４ｃ    当接部、
９５      挿通スリット、
９６      第１の固定ベース部、
９７      封止用開口部、
９８      嵌合支持部、
９９      規制部、
１００      案内板、
１０１      矩形状の平坦領域（シール添付面）、
１０２      矩形状の平坦領域（シール添付面）、
１０３      係止用溝、
１０４      係止条、
１０５      架橋片、
１０６      リブ、
２００      係止構造、
２０１      第１の起立片、
２０１ｂ    基部、
２０１ｃ    内側壁、
２０２      第２の起立片、
２０２ａ    頂部、
２０３      フック部、
２０３ａ    先端（先端辺）、
２０３ｂ    一方の側辺、
２０３ｃ    他方の側辺、
２０４      傾斜部、
２０５      湾曲部、
２０６      斜辺部（傾斜案内部）、
２０７      内側空間、
２０８      凹所（三角形空間）、
２０９      開口、
２１０      係止構造、
２１１      フック部、
２１１ｂ    一方の側辺、
２１１ｃ    他方の側辺、
３００      配線部材、
３０１      コネクタ（接続部）、
３０２      配線、
３０２ａ    配線一本。
【図１】
2011030739.tif 000003
【図２】
2011030739.tif 000004
【図３】
2011030739.tif 000005
【図４】
2011030739.tif 000006
【図５】
2011030739.tif 000007
【図６】
2011030739.tif 000008
【図７】
2011030739.tif 000009
【図８】
2011030739.tif 000010
【図９】
2011030739.tif 000011
【図１０】
2011030739.tif 000012
【図１１】
2011030739.tif 000013
【図１２】
2011030739.tif 000014
【図１３】
2011030739.tif 000015
【図１４】
2011030739.tif 000016
【図１５】
2011030739.tif 000017
【図１６】
2011030739.tif 000018
【図１７】
2011030739.tif 000019
【図１８】
2011030739.tif 000020
【図１９】
2011030739.tif 000021
【図２０】
2011030739.tif 000022
【図２１】
2011030739.tif 000023